【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
遊技機全体を制御するメイン制御手段と、前記メイン制御手段が出力した制御信号に基づき遊技演出に関する各種の制御を実行可能なサブ制御手段とを備えた遊技機において、
前記メイン制御手段には、
入賞検知手段による遊技球の入賞検知を契機に始動保留球の記憶数を記憶可能な保留球数記憶手段と、
前記入賞検知を契機に判定用乱数の値、及び大当り図柄用乱数の値を読み出す乱数読出手段と、
前記乱数読出手段が読み出した判定用乱数の値、及び大当り図柄用乱数の値を記憶手段に順次記憶する乱数記憶手段と、
前記入賞検知に基づく図柄変動の開始直前に、前記記憶手段に記憶されている前記判定用乱数の値と大当り判定値を比較して大当りか否かの大当り判定を行う大当り判定手段と、
前記大当り判定手段が大当りであることを判定した場合に、前記記憶手段に記憶されている前記大当り図柄用乱数の値に基づき、複数種類の図柄のうちから前記図柄変動で確定停止表示させる大当りの確定図柄を決定する図柄決定手段と、
前記入賞検知時に、前記乱数読出手段が読み出した判定用乱数の値が大当りを示す値であるか否かによって大当りの予告演出を実行するか否かを事前判定する予告判定手段と、
前記入賞検知時に、前記乱数読出手段が前記判定用乱数の値とともに読み出した前記大当り図柄用乱数の値から認識される前記大当りの確定図柄の種別を事前判定する図柄判定手段と、
前記予告判定手段による判定結果が肯定の場合に、当該判定時点において前記保留球数記憶手段に記憶されている始動保留球の記憶数を指示する予告信号を前記サブ制御手段に出力する予告信号出力手段と、
前記図柄判定手段が判定した前記大当りの確定図柄の種別を指示する図柄指示信号を前記サブ制御手段に出力する図柄指示信号出力手段と、を備え、
前記サブ制御手段は、
前記予告信号で指示された前記始動保留球の記憶数に基づき予告演出の実行回数を設定する設定手段と、
前記図柄変動の開始に伴って、前記予告演出の実行回数が当該図柄変動で前記予告演出を実行させることを示す場合には、前記図柄指示信号で指示された前記大当りの確定図柄の種別に基づき前記予告演出の予告内容パターンを決定する予告内容パターン決定手段と、
前記設定手段により設定された実行回数分だけ当該予告内容パターン決定手段により決定された予告内容パターンに基づく特定内容の予告演出が所定の遊技演出実行手段で実行されるように制御する予告制御手段と、を備えた遊技機。
【請求項２】
遊技機全体を制御するメイン制御手段と、前記メイン制御手段が出力した制御信号に基づき遊技演出に関する各種の制御を実行可能なサブ制御手段とを備えた遊技機において、
前記メイン制御手段には、
入賞検知手段による遊技球の入賞検知を契機に始動保留球の記憶数を記憶可能な保留球数記憶手段と、
前記入賞検知を契機に判定用乱数の値、及び大当り図柄用乱数の値を読み出す乱数読出手段と、
前記乱数読出手段が読み出した判定用乱数の値、及び大当り図柄用乱数の値を記憶手段に順次記憶する乱数記憶手段と、
前記入賞検知に基づく図柄変動の開始直前に、前記記憶手段に記憶されている前記判定用乱数の値と大当り判定値を比較して大当りか否かの大当り判定を行う大当り判定手段と、
前記大当り判定手段が大当りであることを判定した場合に、前記記憶手段に記憶されている前記大当り図柄用乱数の値に基づき、複数種類の図柄のうちから前記図柄変動で確定停止表示させる大当りの確定図柄を決定する図柄決定手段と、
前記入賞検知時に、前記乱数読出手段が読み出した判定用乱数の値が大当りを示す値であるか否かによって大当りの予告演出を実行するか否かを事前判定する予告判定手段と、
前記予告判定手段による判定結果が肯定の場合に、当該判定時点において前記保留球数記憶手段に記憶されている始動保留球の記憶数を指示する予告信号を前記サブ制御手段に出力する予告信号出力手段と、
前記予告判定手段による判定結果が肯定の場合に、前記乱数読出手段が前記判定用乱数の値とともに読み出した前記大当り図柄用乱数の値に対応する図柄指示信号を前記サブ制御手段に出力する図柄指示信号出力手段と、を備え、
前記サブ制御手段は、
前記予告信号で指示された前記始動保留球の記憶数に基づき予告演出の実行回数を設定する設定手段と、
前記図柄指示信号に基づき前記大当りの確定図柄の種別を判定する図柄判定手段と、
前記図柄変動の開始に伴って、前記予告演出の実行回数が当該図柄変動で前記予告演出を実行させることを示す場合には、前記図柄判定手段が判定した前記大当りの確定図柄の種別に基づき前記予告演出の予告内容パターンを決定する予告内容パターン決定手段と、
前記設定手段により設定された実行回数分だけ当該予告内容パターン決定手段により決定された予告内容パターンに基づく特定内容の予告演出が所定の遊技演出実行手段で実行されるように制御する予告制御手段と、を備えた遊技機。
【手続補正２】
【補正対象書類名】明細書
【補正対象項目名】０００７
【補正方法】変更
【補正の内容】
【０００７】
上記問題点を解決するために、請求項１に記載の発明は、遊技機全体を制御するメイン制御手段と、前記メイン制御手段が出力した制御信号に基づき遊技演出に関する各種の制御を実行可能なサブ制御手段とを備えた遊技機において、前記メイン制御手段には、入賞検知手段による遊技球の入賞検知を契機に始動保留球の記憶数を記憶可能な保留球数記憶手段と、前記入賞検知を契機に判定用乱数の値、及び大当り図柄用乱数の値を読み出す乱数読出手段と、前記乱数読出手段が読み出した判定用乱数の値、及び大当り図柄用乱数の値を記憶手段に順次記憶する乱数記憶手段と、前記入賞検知に基づく図柄変動の開始直前に、前記記憶手段に記憶されている前記判定用乱数の値と大当り判定値を比較して大当りか否かの大当り判定を行う大当り判定手段と、前記大当り判定手段が大当りであることを判定した場合に、前記記憶手段に記憶されている前記大当り図柄用乱数の値に基づき、複数種類の図柄のうちから前記図柄変動で確定停止表示させる大当りの確定図柄を決定する図柄決定手段と、前記入賞検知時に、前記乱数読出手段が読み出した判定用乱数の値が大当りを示す値であるか否かによって大当りの予告演出を実行するか否かを事前判定する予告判定手段と、前記入賞検知時に、前記乱数読出手段が前記判定用乱数の値とともに読み出した前記大当り図柄用乱数の値から認識される前記大当りの確定図柄の種別を事前判定する図柄判定手段と、前記予告判定手段による判定結果が肯定の場合に、当該判定時点において前記保留球数記憶手段に記憶されている始動保留球の記憶数を指示する予告信号を前記サブ制御手段に出力する予告信号出力手段と、前記図柄判定手段が判定した前記大当りの確定図柄の種別を指示する図柄指示信号を前記サブ制御手段に出力する図柄指示信号出力手段と、を備え、前記サブ制御手段は、前記予告信号で指示された前記始動保留球の記憶数に基づき予告演出の実行回数を設定する設定手段と、前記図柄変動の開始に伴って、前記予告演出の実行回数が当該図柄変動で前記予告演出を実行させることを示す場合には、前記図柄指示信号で指示された前記大当りの確定図柄の種別に基づき前記予告演出の予告内容パターンを決定する予告内容パターン決定手段と、前記設定手段により設定された実行回数分だけ当該予告内容パターン決定手段により決定された予告内容パターンに基づく特定内容の予告演出が所定の遊技演出実行手段で実行されるように制御する予告制御手段と、を備えたことを要旨とする。
【手続補正３】
【補正対象書類名】明細書
【補正対象項目名】０００８
【補正方法】変更
【補正の内容】
【０００８】
請求項２に記載の発明は、遊技機全体を制御するメイン制御手段と、前記メイン制御手段が出力した制御信号に基づき遊技演出に関する各種の制御を実行可能なサブ制御手段とを備えた遊技機において、前記メイン制御手段には、入賞検知手段による遊技球の入賞検知を契機に始動保留球の記憶数を記憶可能な保留球数記憶手段と、前記入賞検知を契機に判定用乱数の値、及び大当り図柄用乱数の値を読み出す乱数読出手段と、前記乱数読出手段が読み出した判定用乱数の値、及び大当り図柄用乱数の値を記憶手段に順次記憶する乱数記憶手段と、前記入賞検知に基づく図柄変動の開始直前に、前記記憶手段に記憶されている前記判定用乱数の値と大当り判定値を比較して大当りか否かの大当り判定を行う大当り判定手段と、前記大当り判定手段が大当りであることを判定した場合に、前記記憶手段に記憶されている前記大当り図柄用乱数の値に基づき、複数種類の図柄のうちから前記図柄変動で確定停止表示させる大当りの確定図柄を決定する図柄決定手段と、前記入賞検知時に、前記乱数読出手段が読み出した判定用乱数の値が大当りを示す値であるか否かによって大当りの予告演出を実行するか否かを事前判定する予告判定手段と、前記予告判定手段による判定結果が肯定の場合に、当該判定時点において前記保留球数記憶手段に記憶されている始動保留球の記憶数を指示する予告信号を前記サブ制御手段に出力する予告信号出力手段と、前記予告判定手段による判定結果が肯定の場合に、前記乱数読出手段が前記判定用乱数の値とともに読み出した前記大当り図柄用乱数の値に対応する図柄指示信号を前記サブ制御手段に出力する図柄指示信号出力手段と、を備え、前記サブ制御手段は、前記予告信号で指示された前記始動保留球の記憶数に基づき予告演出の実行回数を設定する設定手段と、前記図柄指示信号に基づき前記大当りの確定図柄の種別を判定する図柄判定手段と、前記図柄変動の開始に伴って、前記予告演出の実行回数が当該図柄変動で前記予告演出を実行させることを示す場合には、前記図柄判定手段が判定した前記大当りの確定図柄の種別に基づき前記予告演出の予告内容パターンを決定する予告内容パターン決定手段と、前記設定手段により設定された実行回数分だけ当該予告内容パターン決定手段により決定された予告内容パターンに基づく特定内容の予告演出が所定の遊技演出実行手段で実行されるように制御する予告制御手段と、を備えたことを要旨とする。
【手続補正４】
【補正対象書類名】明細書
【補正対象項目名】０１３１
【補正方法】変更
【補正の内容】
【０１３１】
次に前記各実施形態及び別例から把握できる技術的思想を以下に追記する。
（イ）前記演出決定手段は、前記予告判定手段による判定結果が否定の場合、前記始動保留球の記憶数が前記保留球数記憶手段に記憶されたことを契機に遊技演出において大当りの予告演出を実行するか否かを判定し、その判定結果が肯定のとき、前記始動保留球の記憶数に基づき予告演出の実行回数を設定する。
【手続補正５】
【補正対象書類名】明細書
【補正対象項目名】０１３２
【補正方法】変更
【補正の内容】
【０１３２】
（ロ）前記演出決定手段は、前記予告演出の実行回数に関し、当該演出決定手段での前記予告演出の実行可否に関する判定結果が肯定であったことに基づき前記予告演出の実行回数を既に設定している場合において、前記予告判定手段での前記予告演出の実行可否に関する判定結果が肯定となった場合には、前記既に設定している実行回数をクリアし、前記始動保留球の記憶数に基づき予告演出の実行回数を新たに設定する。
【手続補正６】
【補正対象書類名】明細書
【補正対象項目名】０１３３
【補正方法】変更
【補正の内容】
【０１３３】
（ハ）前記演出決定手段は、前記始動保留球の記憶数に基づき予告演出の実行回数を設定する際、前記予告判定手段での前記予告演出の実行可否に関する判定結果が肯定であったことに基づき前記予告演出の実行回数を既に設定している場合には、新たに前記予告演出の実行回数を設定することを規制する。
【手続補正７】
【補正対象書類名】明細書
【補正対象項目名】０１３５
【補正方法】変更
【補正の内容】
【０１３５】
（ホ）前記予告判定手段は、前記入賞検知時に判定用乱数を読み出すと共に、予め定めた複数の異値にて構成される大当り判定値のうち少なくとも一つの大当り判定値と同値となるように予め定めた予告判定値と前記判定用乱数とを比較し、その判定結果に基づき前記予告演出の実行可否を判定するものであり、前記図柄決定手段は、前記入賞検知時に図柄用乱数を読み出し、当該図柄用乱数に基づき前記図柄を決定する前記技術的思想（ニ）に記載の遊技機。